(57)【要約】【課題】各種手袋につき、五本の細い指部を即座に裏返すことができるために全体的な裏返しが至極容易となる手袋の裏返し器を提供する。【解決手段】柄付き操作棒を手袋の指部に深く挿入できるように細く形成するとともに、先端部に抜きに抗するように手袋の指部内面との引掛り手段を設けたことを特徴とする。【効果】従来最も難しかった五本指の細い指部の裏返しを極めて容易にでき、そのため全体の裏返しおよび表返しが全く簡単になったので、洗濯機による洗浄効果を格段に高め、清潔な手袋の着用を普及する上において優れた効果がある。【選択図】    図１
2016160557.tif 000002
【特許請求の範囲】
【請求項１】
柄付き操作棒を手袋の指部に深く挿入できるように細く形成するとともに、先端部に抜きに抗するように手袋の指部内面との引掛り手段を設けたことを特徴とする手袋の裏返し器。
【請求項２】
前記引掛り手段は、操作棒の先端部に手袋の指部の内面と摩擦により引掛りが生ずるゴム質状のリング又はチューブを嵌着してなることを特徴とする請求項１記載の手袋の裏返し器。
【請求項３】
前記引掛り手段は、操作棒の先端部に軟質弾性素材からなる膨出体が嵌着され、膨出体に操作棒の中心を中心とする円周に沿った環状ヘラを列設し、ヘラが操作棒の基端方向へ逃げ角に形成してなることを特徴とする請求項１記載の手袋の裏返し器。
【請求項４】
前記引掛り手段は、操作棒の先端部に弾性変形し得る線材が螺旋体を嵌着し、螺旋体の線材先端が少なくとも二股の掴み口に形成されていることを特徴とする請求項１記載の手袋の裏返し器。
【請求項５】
前記引掛り手段は、操作棒の先端部にゴムキャップを風船状に膨らむように嵌着し、基端部には風船状の握り押ポンプを嵌着してなり、操作棒の中心部にゴムキャップと押ポンプとを連通する通気孔を設けたことを特徴とする請求項１記載の手袋の裏返し器。
【発明の詳細な説明】
【技術分野】
【０００１】
この発明は、ゴム手袋、木綿手袋、ネオプレーン手袋等の各種手袋を洗濯しやすく裏返しにするために使用する手袋の裏返し器に関する。
【背景技術】
【０００２】
手袋は、特に作業用では頻繁に洗濯して反覆使用されるが、洗濯により新品同様の清潔な手袋で作業を開始できるということが作業効率上望ましい。しかし、そのまま洗濯しても汚れが内部まで取れにくく、指先内にゴミが入っていても排出されることなく残ってしまうという問題があった。そこで、通常は、洗濯器に投入する前に手袋を裏返しにすることにしている家庭、作業場、工場、各種グループ等がある。しかし、手袋を裏返すことはそう簡単ではなかった。
【発明の概要】
【発明が解決しようとする課題】
【０００３】
手袋の裏返しが難しい理由は、全体の裏返しに細長い五本の指部の裏返しが必然的に伴うためであって、指部の裏返しが簡単にできなく、素手ではゴム製の片方の手袋に例えば５分もかかっていた。
【０００４】
この発明は、上記のような実情に鑑みて、各種手袋につき、五本の細い指部を即座に裏返すことができるために全体的な裏返しが至極容易となる手袋の裏返し器を提供することを課題とした。
【課題を解決するための手段】
【０００５】
上記の課題を解決するために、この発明は、柄付き操作棒を手袋の指部に深く挿入できるように細く形成するとともに、先端部に抜きに抗するように手袋の指部内面との引掛り手段を設けたことを特徴とする手袋の裏返し器を提供する。
【０００６】
上記の構成によれば、職場等において、作業終了時に使用した手袋を洗濯器に掛けるときには、手袋の手首の部分を反転し指口を露出してから、操作棒を指口に差し込んでから引き抜くと、この時に生じる引掛りで指部の内側が引き抜かれるようになって、指部１１が裏返しに突出する（図１）。なお、表返すときは丁度逆の操作となる。
【発明の効果】
【０００７】
以上説明したように、この発明の手袋の裏返し器によれば、従来最も難しかった五本指の細い指部の裏返しを極めて容易にでき、そのため全体の裏返しおよび表返しが全く簡単になったので、洗濯機による洗浄効果を格段に高め、清潔な手袋の着用を普及する上において優れた効果がある。
【図面の簡単な説明】
【０００８】
【図１】この発明による実施例１の手袋の裏返し器を使用状態で示す斜視図である。
【図２】同手袋の裏返し器を拡大して示す正面図である。
【図３】実施例２の手袋の裏返し器を拡大して示す正面図である。
【図４】実施例３の手袋の裏返し器を拡大して示す正面図である。
【図５】同手袋の裏返し器の側面図である。
【図６】実施例４の手袋の裏返し器を拡大して示す正面図である。
【発明を実施するための形態】
【０００９】
この発明の手袋の裏返し器は、以下に示すように、様々の形態が考えられるが、手袋の材質、構造、使用目的等で多様な要望に応え得る。次のような人に特に有効性が感じられる。
１．手袋を裏返すのに苦労があった人。従来は片手に５分程度の時間が掛かっていたからで、３０秒程度に短縮できる。
２．裏返すのが面倒で洗濯に躊躇していた人。時間短縮を図ることができ、洗濯に励みとなる。
３．手袋を清潔に保ちたい人。工事現場や食品加工等の作業員には有りがたく使用されうる。
【実施例１】
【００１０】
手袋の裏返し器具Pは、図１および図２に示すように、主体となる操作棒１が棒材をやや「く」字形に曲げて基端部を柄３となし、その操作棒１の先端に摩擦抵抗の大きい輪切りにしたリング状のゴムチューブ５を嵌着して取り付けたものである。
【００１１】
手袋Gは、一日の作業が終わって洗濯する前において、手首当りをひっくり返えした状態（半裏返し状態）を示したもので、親指、人指し指、中指、薬指、小指の各指口７，７、・・が裏返しに表れている（図１）。また、同図は各口７に順次操作棒１を差し入れようとしている状態を示すが、差入れると引き抜くことによりチューブ５が指部９の内面に摩擦して引きずり出すので、それがひっくり返って裏返し指１１が飛び出してくる。
【００１２】
こうして各指口７，７、・・ごとにひっくり返えすと全体的に裏返った状態になるので、この状態で洗濯するとごみや汚れが完全に落される。また、この状態で、非常に良く干すことができる。
【００１３】
干した手袋は裏返しであるので、これを表返して着用可能に戻す必要があるが、それには、丁度逆の操作となる。すなわち、手首部分を表返してから、各指口７，７、・・に操作棒１を差し込んで表返すと、清潔な手袋が再現する。なお、チューブ５はゴム質状であれば良く、軟質プラスチックなどで構成されていても良い。
【実施例２】
【００１４】
次の手袋の裏返し器Pは、図３に示すように、操作棒１の先端部に膨出体１３を設けるとともに、操作棒１の中心を中心とする環状のヒダ１５，１５、・・が形成されている。各ヒダ１５は、操作棒１の先端から後方へ逃げ角となっているので、指部９の中に押し込むことができるが、引き抜くときにヒダ１５が逆止となるために、引っ掛かりができて指部９が内部から引き出されながら裏返される。
【実施例３】
【００１５】
この場合の手袋の裏返し器Pは、図４、図５に示し、ねじり型ともいえるもので、操作棒１の先端に線材１７がねじり形に加工された螺旋体１９が取り付けられ、螺旋線材１７の先端に少なくとも二股に割れる掴み口２１が形成される。この場合は、柄３をひねりながら、螺進することにより奥部に至ると掴み口２１が指部９内面を噛み付くように掴むことになるので、引き抜くことにより指部９を裏返すことができる。なお、掴み口２１の形状は二股以上の例えば三股などに割れるものであっても良い。
【実施例４】
【００１６】
次の手袋の裏返し器Pは、図６に示し、通気可能な中空の通気孔２０を有する操作棒１であって、操作棒１の先端部に空気で膨らむゴムキャップ２３を嵌着し、基端に風船状の押ポンプ２５が取り付けられる。これを使用するときには、手袋Gの指口７にゴムキャップ２３を深く差し込んでから、ポンプ２５で空気を圧縮し通気孔２０を介して送ることによりゴムキャップ２３を膨らませると、それが指部９の内面に圧接することにより結掴掴合するから、引き抜くことによって、指部１１を裏返すことができる。
【符号の説明】
【００１７】
P  手袋の裏返し器
G  手袋
１  操作棒
３  柄
５  ゴムチューブ
７  指口
９  指部
１１  表返し指
１３  膨出体
１５  ヒダ
１７  線材
１９  螺旋体
２０  通気孔
２１  掴み口
２３  ゴムキャップ
２５  押ポンプ
【図１】
2016160557.tif 000003
【図２】
2016160557.tif 000004
【図３】
2016160557.tif 000005
【図４】
2016160557.tif 000006
【図５】
2016160557.tif 000007
【図６】
2016160557.tif 000008